(57)【要約】本発明は、連続ウェブ（３）を個々のセグメント（４）に切断するための切断ステーション（２）と、各個別のセグメント（４）を吸収性物品（６ａ）に貼り付けるためのアプリケータステーション（５）とを含む、吸収性物品のセグメントを貼り付けるための装置である。当該装置（１）は、複数のキャリアユニット（７ａ、７ｂ）であって、各々が切断ステーション（２）からアプリケータステーション（５）に個々のセグメント（４）を保持し且つ移送するためのパッド（８ａ、８ｂ）を含む、複数のキャリアユニット（７ａ、７ｂ）を備え、移送パッド（８ａ、８ｂ）は、主回転軸（１ａ）を中心に完全な回転を実行して対応するそれぞれのセグメント（４）を切断ステーション（２）からアプリケータステーション（５）に移送し、切断ステーション（２）に戻り、切断ステーション（２）からアプリケータステーション（５）まで、それ自身の回転軸（８ｃ、８ｄ）を中心に少なくとも９０°の回転を実行し、吸収性物品（６ａ）の供給方向を横切る方向にセグメント（４）を方向付け、装置（１）は、主回転軸（１ａ）の周りで１つ以上のキャリアユニット（７ａ）を動かすための第１の移動部材（１２）と、第１の移動部材（１２）によって動かされるキャリアユニット（７ａ）とは別に、主回転軸（１ａ）の周りで１つ以上のキャリアユニット（７ｂ）を動かすための第２の移動部材（１３）とを備える。
2020534091.tif 000002
【特許請求の範囲】
【請求項１】
連続ウェブ（３）を個々のセグメント（４）に切断するための切断ステーション（２）と、各個別のセグメント（４）を吸収性物品（６ａ）に貼り付けるためのアプリケータステーション（５）とを含む、吸収性物品のセグメントを貼り付けるための装置であって、
複数のキャリアユニット（７ａ、７ｂ）であって、各々が前記切断ステーション（２）から前記アプリケータステーション（５）に個々のセグメント（４）を保持し且つ移送するためのパッド（８ａ、８ｂ）を含む、複数のキャリアユニット（７ａ、７ｂ）を備え、
各キャリアユニット（７ａ、７ｂ）の前記移送パッド（８ａ、８ｂ）は、主回転軸（１ａ）を中心に完全な回転を実行して対応するそれぞれの前記セグメント（４）を前記切断ステーション（２）から前記アプリケータステーション（５）に移送し、前記切断ステーション（２）に戻り、
各キャリアユニット（７ａ、７ｂ）の前記移送パッド（８ａ、８ｂ）は、前記切断ステーション（２）から前記アプリケータステーション（５）まで、それ自身の回転軸（８ｃ、８ｄ）を中心に少なくとも９０°の回転を実行し、前記吸収性物品（６ａ）の供給方向を横切る方向に前記セグメント（４）を方向付け、
前記キャリアユニット（７ａ、７ｂ）が前記主回転軸（１ａ）の周りを回転している間、各パッド（８ａ、８ｂ）は、前記主回転軸（１ａ）に向かって、およびそこから離れるように半径方向に移動可能であり、
前記装置（１）は、
前記主回転軸（１ａ）の周りで１つ以上のキャリアユニット（７ａ）を動かすための第１の移動部材（１２）と、前記第１の移動部材（１２）によって動かされる前記キャリアユニット（７ａ）とは別に、前記主回転軸（１ａ）の周りで１つ以上のキャリアユニット（７ｂ）を動かすための第２の移動部材（１３）とを備える装置（１）。
【請求項２】
前記主回転軸（１ａ）の周りで前記第１の移動部材（１２）を駆動するための第１の駆動ユニット（１４）と、前記第１の駆動ユニット（１４）とは別の、前記主回転軸（１ａ）の周りで前記第２の移動部材（１３）を駆動するための第２の駆動ユニット（１５）とを備える、請求項１に記載の装置。
【請求項３】
前記第１および第２の駆動ユニット（１４、１５）の動きを制御および調整するように構成された制御ユニット（２５）を備え、前記第１および第２の移動部材（１２、１３）の前記各キャリアユニット（７ａ、７ｂ）の前記パッド（８ａ、８ｂ）は、前記切断ステーション（２）で前記主回転軸（１ａ）を中心に第１の回転速度（ｗ１）を有し、前記アプリケータステーション（５）で、好ましくは前記第１の回転速度（ｗ１）とは異なる、前記主回転軸（１ａ）の周りの第２の回転速度（ｗ２）を有する、請求項２に記載の装置。
【請求項４】
前記制御ユニット（２５）は、前記第１および第２の駆動ユニット（１４、１５）の運動の法則を備えるようプログラムされるように構成される、請求項３に記載の装置。
【請求項５】
前記第１の移動部材（１２）は、前記主回転軸（１ａ）の周りを回転するドラム（１７）を備え、前記第２の移動部材（１３）は、前記主回転軸（１ａ）の周りを回転し且つ前記第１の移動部材（１２）の前記ドラム（１７）内に少なくとも部分的に収容されるドラム（１９）を備える、請求項１から４のいずれか１項に記載の装置。
【請求項６】
前記第１の移動部材（１２）が、各々が対応するキャリアユニット（７ａ、７ｂ）を支持し且つ前記ドラム（１７）によって回転駆動される複数のスポーク（１８）を含む、請求項１から５のいずれか１項に記載の装置。
【請求項７】
前記第２の移動部材（１３）は、各々が対応するキャリアユニット（７ａ、７ｂ）を支持し且つ前記ドラム（１９）によって回転駆動される複数のスポーク（２０）を含む、請求項１から６のいずれか１項に記載の装置。
【請求項８】
前記第１の移動部材（１２）および前記第２の移動部材（１３）の前記キャリアユニット（７ａ、７ｂ）が交互に配置されるように取り付けられ、前記切断ステーション（２）および前記アプリケータステーション（５）では、前記第１の移動部材（１２）の前記ドラム（１７）のスポーク（１８）によって支持されたキャリアユニット（７ａ）の移動が、前記第２の移動部材（１３）の前記ドラム（１９）のスポーク（２０）によって支持されたキャリアユニット（７ｂ）の移動と交互になされる、請求項１から７のいずれか１項に記載の装置。
【請求項９】
前記第１および第２の移動部材（１２、１３）がそれぞれ３つのスポーク（１８、２０）を備え、前記それぞれの第１および第２の移動部材（１２、１３）の前記スポーク（１８、２０）は、２つの連続したスポーク（１８、２０）が１２０°の角度をなすように互いに対して配置される、請求項１から８のいずれか１項に記載の装置。
【請求項１０】
各キャリアユニット（７ａ、７ｂ）が、前記連続ウェブ（３）を切断するための対応するそれぞれのアンビル部材（９ａ、９ｂ）を備え、前記主軸（１ａ）の周りの回転に関して、前記アンビル部材（９ａ、９ｂ）は、前記キャリアユニット（７）と一体に駆動される、請求項１から９のいずれか１項に記載の装置。
【請求項１１】
各キャリアユニット（７ａ、７ｂ）に関して、前記連続ウェブ（３）を切断するための前記アンビル部材（９ａ、９ｂ）が、前記主回転軸（１ａ）に向かうおよびそこから離れる前記それぞれのパッド（８ａ、８ｂ）の動きに対して、その位置を維持する、請求項１から１０のいずれか１項に記載の装置。
【発明の詳細な説明】
【技術分野】
【０００１】
本発明は、吸収性物品のセグメントを貼り付けるための装置に関する。
【０００２】
より具体的には、ただしそれによって一般性を失うことなく、この装置は、子供または大人用のおむつの伸縮性ウエストバンドを作るために使用される伸縮性材料の連続ウェブを処理する適用分野に係る。
【０００３】
本発明の装置は、製造中のおむつの連続した列に吸収性物品の単一のセグメントを作り、移送し、方向付け、貼り付ける。
【背景技術】
【０００４】
通常、この種の先行技術の装置は、その主回転軸を中心に回転するように取り付けられ且つ連続ウェブを個々のセグメントに分割する切断手段と協働する複数のアンビルを支持するドラムを含む。ドラムに接続されているのは複数のパッドであり、各々が２つの対応するアンビルの間に配置され、切断される連続ウェブを受け入れ且つ連続ウェブ自体の切断から生じるセグメントを保持できる。
【０００５】
ドラムの主回転軸の周りを回転することに加えて、各パッドは、ドラムの回転軸に対して半径方向に沿って配置された、それ自体の回転軸周りにそれ自体で回転でき、製造中のおむつの連続した列の供給方向を横断する方向に各セグメントを方向付ける。
【０００６】
また、その主軸周りの回転中にパッドを挟んでいるアンビルとの衝突を避けるために、各パッドはドラムの主回転軸から離れて移動可能であり、保持されているセグメントが貼り付けられるべきおむつに実質的に接する位置に移動する。
【０００７】
各パッドは、セグメントをピックアップする位置に戻るためにドラムの回転軸に向かって移動可能である。
【０００８】
現在、吸収性物品を製造するための機械の分野における市場の需要は、先行技術で知られている機械よりも性能が良く且つよりフレキシブルな機械を必要としている。吸収性物品のセグメントを貼り付けるための装置に関して、これらの需要は、生産速度の向上、および、あるサイズの物品の製造から別のサイズの物品の製造への切り替え時に機械部品を交換するためのダウンタイムを最小化またはキャンセルするべく改善された切り替え機能の可能性として解釈される。
【発明の概要】
【０００９】
したがって、連続ウェブを個々のセグメントに切断するための切断ステーションと、各個別のセグメントを吸収性物品に貼り付けるためのアプリケータステーションとを含む、吸収性物品のセグメントを貼り付けるための装置の必要性が感じられている。この装置は、複数のキャリアユニットを備え、当該複数のキャリアユニットの各々は、個々のセグメントを切断ステーションからアプリケータステーションに移送するためのパッドを備える。各キャリアユニットの移送パッドは、セグメントを切断ステーションからアプリケータステーションに移送して切断ステーションに戻るために、主回転軸を中心に完全な回転を行う。各キャリアユニットの移送パッドは、切断ステーションからアプリケータステーションまでそれ自体の回転軸の周りで少なくとも９０°の回転を行い、吸収性物品の供給方向を横断する方向にセグメントを方向付ける。
【００１０】
この装置は、１つ以上のキャリアユニットを主回転軸の周りに動かすための第１の移動部材と、第１の移動部材によって動かされるキャリアユニットとは別に、主回転軸の周りに１つ以上のキャリアユニットを動かすための第２の移動部材とを備える。
【００１１】
有利には、装置は、少なくとも１０００ｐｐｍに等しい作業速度を達成し、他の機械的運動伝達部品を交換することなく、第１および第２の移動手段によって実施される運動の法則によりキャリアユニットの移動を制御することを可能にする。
【図面の簡単な説明】
【００１２】
本発明のさらなる特徴および利点は、添付の図面に示される装置の好ましい実施形態の以下の非限定的な説明からより明らかになる。
【図１】吸収性物品のセグメントを貼り付けるための本発明による装置の概略正面図であり、他の部分をより良く示すために一部を切り取ったものである。
【図２】図１の装置を概略斜視図で示す。
【図３】図１の装置を上から見た概略斜視図で示し、他の部分をより良く示すために一部を切り取ったものである。
【図４】図１の装置を概略的な断面斜視図で示し、他の部分をより良く示すために一部を切り取ったものである。
【発明を実施するための形態】
【００１３】
添付の図面を参照すると、番号１は、吸収性物品のセグメントを貼り付けるための装置全体を示す。
【００１４】
装置１は、連続ウェブ３を個々のセグメント４に切断するための切断ステーション２と、個々のセグメント４を吸収性物品６ａに貼り付けるためのアプリケータステーション５とを含む。
【００１５】
吸収性物品６ａを供給するための供給ライン６は、セグメント４を貼り付けるための装置１の下流に位置する。
【００１６】
一般的に言えば、連続ウェブ３の供給速度は、各セグメント４が貼り付けられる吸収性物品６ａの供給速度とは異なる。
【００１７】
より具体的には、連続ウェブ３の供給速度は、吸収性物品６ａの供給速度よりも遅い。
【００１８】
例えば、セグメント４という用語は、子供または大人用のオムツのウエストバンドを形成するために使用される伸縮性素材片を意味するために用いられる。
【００１９】
装置１は、対応するそれぞれのセグメント４を切断ステーション２からアプリケータステーション５に移送するための複数のキャリアユニット７ａ、７ｂを含む。
【００２０】
各キャリアユニット７ａ、７ｂは、対応するセグメント４が切断ステーション２からアプリケータステーション５に移送されている間、当該セグメント４をその外面によって保持するための対応するパッド８ａ、８ｂを含む。
【００２１】
より具体的には、各パッド８ａ、８ｂは、吸引によってその外面によってセグメント４を保持する。
【００２２】
この目的のために、各キャリアユニット７ａ、７ｂは、対応するパッド８ａ、８ｂがセグメント４を保持することを可能にする、図示されていない吸引手段を備える。
【００２３】
装置１の各キャリアユニット７ａ、７ｂは、主回転軸１ａを中心に回転して、対応するセグメント４を切断ステーション２からアプリケータステーション５に移送し、切断ステーション２に戻り、これにより全回転が完了するように構成される。
【００２４】
各単一セグメント４が由来する連続ウェブ３を切断するための切断ステーション２、およびセグメント４を貼り付けるためのアプリケータステーション５は、好ましくは、切断されたセグメント４を保持する瞬間から解放する瞬間までの各キャリアユニット７ａおよび７ｂがたどる経路が、切断されたセグメント４を解放する瞬間から移送すべき別の切断されたセグメント４を保持する瞬間まで各キャリアユニット７ａおよび７ｂがたどる経路と同じ長さになるように、１８０°の角度間隔で配置される。
【００２５】
装置１の各キャリアユニット７ａ、７ｂは、連続ウェブ３を個々のセグメント４に切断するための切断部材１０と連動して動作するように構成された対応するそれぞれのアンビル部材９ａ、９ｂを含む。
【００２６】
切断部材１０は、好ましくは、その回転軸を中心に回転し且つその周囲面の周りに配置された１つ以上の切断エッジを備えたローラを含む。
【００２７】
アンビル部材９ａ、９ｂは、対応するそれぞれのキャリアユニット７ａ、７ｂと一体の装置１の主軸１ａの周りを回転する。
【００２８】
より具体的には、各キャリアユニット７ａ、７ｂのアンビル部材９ａ、９ｂが主回転軸１ａの周りを回転するとき、アンビル部材９ａ、９ｂは、回転軸１ａに対して固定された位置に留まる。
【００２９】
セグメント４が切断されると、各個別のセグメント４は、吸収性物品６ａに正しく貼り付けされ得るように方向付けられなければならない。この目的のために、各キャリアユニット７ａ、７ｂのパッド８ａ、８ｂは、それ自体の回転軸８ｃ、８ｄを中心に回転するように構成され、それは好ましくは装置１の主回転軸１ａに対して半径方向である。
【００３０】
各パッド８ａ、８ｂの回転軸８ｃ、８ｄは、パッド８ａ、８ｂ自体に対して重心であってもよい。
【００３１】
あるいは、各パッド８ａ、８ｂの回転軸８ｃ、８ｄは、パッド８ａ、８ｂ自体の重心位置に対して偏心している。
【００３２】
装置１の各パッド８ａ、８ｂの回転軸８ｃ、８ｄは、主回転軸１ａ上の共通の原点で交わってもよいし、あるいは、いずれの点でも交わらなくてもよい。後者の場合には、装置１の各パッド８ａ、８ｂの回転軸８ｃ、８ｄは、主回転軸１ａに対して傾斜している。
【００３３】
装置１の各パッド８ａ、８ｂは、切断ステーション２からアプリケータステーション５まで少なくとも９０°に至るまで回転し、アプリケータステーション５から切断ステーション２まで少なくとも９０°に至るまで回転してその開始位置に戻るように構成される。
【００３４】
切断ステーション２に関して、切断を正しく行うために、２つの連続したキャリアユニット７ａおよび７ｂの少なくとも２つのパッド８ａおよび８ｂが、連続ウェブ３を横たわらせ且つ押さえつけるためのできる限り滑らかな表面を規定する必要がある。
【００３５】
より具体的には、パッド８ａおよび８ｂの外側表面の開始位置は、ウェブ３が載っている表面に平行である。
【００３６】
切断の瞬間に、対応するキャリアユニット７ａまたは７ｂの少なくとも１つのアンビル部材９ａまたは９ｂは、ウェブ３が横たわっている表面に配置される。
【００３７】
連続ウェブ３を切断することによりセグメント４が作成されると、各パッド８ａ、８ｂは、各セグメント４をそれが貼り付けられるべき吸収性物品６ａに対して横方向に方向付けるために、対応するそれぞれの回転軸８ｃ、８ｄを中心にそれ自体で回転する。
【００３８】
好ましくは、切断ステーション２からアプリケータステーション５まで、各パッド８ａ、８ｂは、その回転軸８ｃ、８ｄの周りを少なくとも９０°に至るまでそれ自体で回転する。
【００３９】
これは、吸収性物品６ａの供給方向６に垂直に、吸収性物品６ａの供給ライン６の平面上に各単一セグメント４を配置することにより、当該各単一セグメント４を方向付けることを可能にする。
【００４０】
アプリケータステーション５から切断ステーション２まで、各パッド８ａ、８ｂは、その回転軸８ｃ、８ｄを中心にさらに９０°に至るまでそれ自体で回転し、切断ステーション２の初期構成に戻る。
【００４１】
したがって、主回転軸１ａを中心とする完全な回転ごとに、各パッド８ａ、８ｂは、その回転軸８ｃ、８ｄを中心に少なくとも１８０°に至るまでそれ自体で回転する。
【００４２】
同様に、各パッド８ａ、８ｂは、最初に１方向に９０°に至るまでそれ自体で回転し、次に反対方向に同じ角度に至るまで回転してもよい。これにより、パッド８ａ、８ｂを再び初期構成に配置でき、回転の合計が０°になる。
【００４３】
各キャリアユニット７ａ、７ｂのパッド８ａ、８ｂは、カム手段１６によって対応するそれぞれの回転軸８ｃ、８ｄを中心に回転駆動される。
【００４４】
各キャリアユニット７ａ、７ｂに関して、対応するそれぞれのパッド８ａ、８ｂがそれ自体の回転軸８ｃ、８ｄの周りを回転している間に、同じキャリアユニット７ａ、７ｂに接続された対応するそれぞれのアンビル部材９ａ、９ｂとの起こり得る干渉を防ぐために、当該パッド８ａ、８ｂは、主回転軸１ａに向かっておよびそれから離れるように半径方向に移動可能である。
【００４５】
切断ステーション２からアプリケータステーション５まで、各キャリアユニット７ａ、７ｂのパッド８ａ、８ｂは、それらが連続ウェブ３に実質的に接するそれぞれの開始位置から、それらが当該パッド８ａ、８ｂによって保持されたセグメント４が貼り付けられる吸収性物品６ａに実質的に接するアプリケータステーションの上昇位置まで移る。
【００４６】
アプリケータステーション５の下流で、各パッド８ａ、８ｂは、上昇位置から切断ステーション２に再び接する開始位置まで移る。
【００４７】
より具体的には、開始位置から上昇位置へ、およびその逆も同様に、各パッド８ａ、８ｂは、装置１の主回転軸１ａに対して半径方向に沿って移動可能である。
【００４８】
言い換えると、開始位置から上昇位置へ、およびその逆も同様に、各パッド８ａ、８ｂは、装置１の主回転軸１ａに向かって、およびそこから離れるように移動可能である。
【００４９】
より正確には、各パッド８ａ、８ｂは、開始位置から上昇位置へ、主回転軸１ａから離れるように移り、上昇位置から開始位置へ、装置１の主回転軸１ａに向かうように移る。
【００５０】
上昇位置とは、各パッド８ａ、８ｂが、各キャリアユニット７ａ、７ｂのアンビル部材９ａ、９ｂの動作円の外側の動作円に配置される位置を意味する。
【００５１】
パッド８ａ、８ｂの往復移動は、カム手段３０、具体的にはフラットカムによって決定される。
【００５２】
同軸カムフォロアローラベアリング３１は、カム手段３０と係合するためにそれぞれのパッド８ａ、８ｂに関連付けられている。
【００５３】
カム手段１６は、パッド８ａ、８ｂの主回転軸１ａに対する半径方向の位置に関係なく、当該パッド８ａ、８ｂのそれぞれの回転軸８ｃ、８ｄの周りの回転運動を決定する。
【００５４】
それぞれのパッド８ａ、８ｂに関連付けられた溝付きまたはローブ付きシャフト（図示せず）がカム手段１６と係合している。
【００５５】
これまで説明してきたことを参照すると、各キャリアユニット７ａ、７ｂが主回転軸１ａを中心として完全に回転するたびに、それぞれの移動部材１２、１３の各パッド８ａ、８ｂは、少なくとも３つの動きを実行することに留意すべきである。すなわち、共通の回転軸１ａを中心とする第１の回転運動、それ自体の回転軸８ｃ、８ｄを中心とするそれ自体での第２の回転運動、および主回転軸１ａに向かうおよびそこから離れるような第３の往復運動である。
【００５６】
主回転軸１ａを中心とする各パッド８ａ、８ｂの完全な回転ごとに、好ましくは、パッド８ａ、８ｂのこれら３つの運動のうちの２つが同時に実行される。
【００５７】
より具体的には、各パッド８ａ、８ｂが主回転軸１ａから離れるように移動する間、パッド８ａ、８ｂは、それぞれの軸８ｃ、８ｄの周りで少なくとも９０°に至るまでそれ自体で回転し、それぞれのセグメント４をそれが貼り付けられる吸収性物品６ａの供給方向を横断する方向に方向付ける。
【００５８】
各パッド８ａ、８ｂが主回転軸１ａに向かって移動する間、パッド８ａ、８ｂは、それぞれの軸８ｃ、８ｄの周りで少なくとも９０°に至るまでそれ自体で回転し、パッド８ａ、８ｂの表面を所望の方向、特に連続ウェブ３の供給方向に対する所望の方向に方向付ける。
【００５９】
吸収性物品６ａの供給ライン６の速度に関して、連続ウェブ３の供給速度は吸収性物品６ａの供給速度よりも遅いので、各パッド８ａ、８ｂは、切断ステーション２で、第１の接線速度ｖ１を有し少なくともそれぞれのアプリケータステーション５で、第１の速度ｖ１よりも速い第２の接線速度ｖ２を有する。
【００６０】
この点に関して、次のことに注意が向けられる。すなわち、接線速度すなわち周辺速度ｖ１およびｖ２は、装置１のダイナミクスに関連する２つの変数によって決定される。１つの変数は、パッド８ａ、８ｂの角速度「ｗ」であり、もう１つの変数は、パッドが主回転軸１ａから最も離れているときのパッドの距離である。
【００６１】
より正確には、各パッド８ａ、８ｂは、切断ステーション２で第１の角速度ｗ１を有し、少なくともそれぞれのアプリケータステーション５で第１の回転速度ｗ１よりも高い第２の角速度ｗ２を有する。
【００６２】
本発明によれば、装置１は、主回転軸１ａを中心に１つ以上のキャリアユニット７ａを動かすための第１の移動部材１２と、主回転軸１ａを中心に、第１の移動部材１２により動かされるキャリアユニット７ａとは別に、１つ以上のキャリアユニット７ｂを動かすための第２の移動部材１３とを備える。
【００６３】
第１の移動部材１２は、主回転軸１ａの周りを回転するドラム１７を備え、第２の移動部材１３は、主回転軸１ａの周りを回転し且つ少なくとも部分的に第１の移動部材１２のドラム１７に収容されるドラム１９を備える。
【００６４】
言い換えると、第１の移動部材１２のドラム１７と第２の移動部材１３のドラム１９は、主回転軸１ａに対して互いに同心である。
【００６５】
第１の移動部材１２は、ドラム１７に接続され且つ各々が対応するキャリアユニット７ａを支持する複数のスポーク１８を備える。
【００６６】
第１の移動部材１２によって回転駆動されるキャリアユニット７ａは、ドラム１７に接続されたスポーク１８を介して、主回転軸１ａを中心とする回転で互いに連結されている。
【００６７】
各スポーク１８は、第１の移動部材１２のドラム１７によって主軸１ａを中心に回転駆動される。
【００６８】
各スポーク１８は、主回転軸１ａに対して半径方向に延びるアームの形をしている。
【００６９】
より具体的には、第１の移動部材１２は、ドラム１７に接続され且つ各々が対応するそれぞれのキャリアユニット７ａを支持する３つのスポーク１８を備える。
【００７０】
３つのスポーク１８は、２つの連続したスポーク１８が１２０°の角度をなすように互いに対して配置されている。
【００７１】
第１の移動部材１２は、アイドラドラム２６と、当該ドラム２６に接続され且つ各々が対応するそれぞれのキャリアユニット７ａを支持する複数のスポーク２７とを備える。
【００７２】
このようにして、第１の移動部材１２によって駆動される各キャリアユニット７ａは、互いに向かい合い且つ平行に設定されたスポーク１８、２７の対応するそれぞれの対によって支持される。
【００７３】
第２の移動部材１３は、ドラム１９に接続され且つ各々が対応するそれぞれのキャリアユニット７ｂを支持する複数のスポーク２０を備える。
【００７４】
第２の移動部材１３によって回転駆動されるキャリアユニット７ｂは、ドラム１９に接続されたスポーク２０を介して主回転軸１ａを中心とした回転で互いに連結されている。
【００７５】
上述の複数のスポーク２０は、第２の移動部材１３のドラム１９によって主軸１ａを中心に回転駆動される。
【００７６】
各スポーク２０は、主回転軸１ａに対して半径方向に延びるアームの形をしている。
【００７７】
より具体的には、第２の移動部材１３は、ドラム１９に接続され且つ各々が対応するそれぞれのキャリアユニット７ｂを支持する３つのスポーク２０を備える。
【００７８】
３つのスポーク２０は、２つの連続するスポーク２０が１２０°の角度をなすように互いに対して配置される。
【００７９】
第２の移動部材１３は、アイドラドラム２８と、当該ドラム２８に接続され且つ各々が対応するそれぞれのキャリアユニット７ｂを支持する複数のスポーク２９とを備える。
【００８０】
このようにして、第２の移動部材１３によって駆動される各キャリアユニット７ｂは、互いに向かい合い且つ平行に設定されたスポーク２０、２９の対応するそれぞれの対によって支持される。
【００８１】
第１の移動部材１２および第２の移動部材１３により駆動されるキャリアユニット７ａ、７ｂは、交互に配置されるように取り付けられている。
【００８２】
このようにして、切断ステーション２およびアプリケータステーション５において、第１の移動部材１２のドラム１７のスポーク１８によって支持されたキャリアユニット７ａの移動は、第２の移動部材１３のドラム１８のスポーク２０によって支持されたキャリアユニット７ｂの移動と交互になされる。
【００８３】
本発明によれば、装置１は、第１の移動部材１２を主回転軸１ａの周りに駆動するための第１の駆動ユニット１４と、第２の移動部材１３を主回転軸１ａの周りに駆動するための、第１の駆動ユニット１４とは別個の第２の駆動ユニット１５とを備える。
【００８４】
装置１は、第１および第２の移動部材１２、１３のそれぞれのキャリアユニット７ａ、７ｂのパッド８ａ、８ｂが切断ステーション２で主回転軸１ａの周りの第１の角速度ｗ１を有し、アプリケータステーション５で、主回転軸１ａの周りの第２の角速度ｗ２を有するように、第１および第２の駆動ユニット１４、１５の動きを制御および調整するように構成される制御ユニット２５を備える。
【００８５】
制御ユニット２５は、オペレータによってプログラムされるように構成される。より具体的には、制御ユニット２５は、第１および第２の駆動ユニット１４、１５が従わなければならない運動の法則を備えるようプログラムされるように構成される。
【００８６】
主回転軸１ａの周りの完全な回転に関して、第１および第２の駆動ユニット１４、１５の運動の法則は同一であることに留意されたい。
【００８７】
制御ユニット２５は、第１および第２の駆動ユニット１４、１５を、それらがプログラムされる運動の法則に応じて駆動および調整するように構成される。
【００８８】
有利には、制御ユニット２５の運動の法則をプログラミングする可能性により、吸収性物品６ａのサイズに応じてパッド８の第２の角速度ｗ２を変更することが可能になる。
【００８９】
有利には、異なるサイズの吸収性物品６ａへの切り替えごとに、それぞれの軸８ｃ、８ｄの周りで各キャリアユニット７ａ、７ｂのパッド８ａ、８ｂを回転駆動するカム手段１６およびパッド８ａ、８ｂの主回転軸１ａに向かうおよびそこから離れる往復運動を制御するカム手段３０を交換する必要はない。
【００９０】
図示の実施形態では、第１および第２の駆動ユニット１４、１５は、第１および第２の移動部材１２、１３の主回転軸１ａに対して偏心している。
【００９１】
それぞれの運動伝達手段２３、２４は、第１および第２の駆動ユニット１４、１５をそれぞれ第１および第２の移動部材１２、１３に接続する。
【００９２】
好ましくは、第１および第２の駆動ユニット１４、１５は、用途に必要なトルクに到達することを可能にするそれぞれのトルクモータを含む。
【００９３】
あるいは、第１および第２の駆動ユニット１４、１５は、第１および第２の回転部材１２、１３の主回転軸１ａと同軸である。
【００９４】
さらなる代替実施形態では、第１および第２の駆動ユニット１４、１５は、一定の回転速度で動作するそれぞれのブラシレスモータと、好ましくは非円形ギアを備えた、第１および第２の移動部材１２、１３に運動を伝達するための伝達手段とを含む。
【００９５】
この変形例では、運動伝達手段は、吸収性物品６ａの異なるサイズへの切り替えごとに交換されなければならない。
【００９６】
使用中、切断ステーション２に関して、連続ウェブ３を受け入れて保持する、それぞれのキャリアユニット７ａ、７ｂのパッド８ａ、８ｂの保持面は、連続ウェブ３が切断手段１０によって切断されている間、連続ウェブ３の供給方向に対して所望の方向に方向付けられる。
【００９７】
連続ウェブ３を受け取るキャリアユニット７ａおよび７ｂのパッド８ａおよび８ｂは、ウェブを横たわらせ且つ押さえつけるための滑らかで途切れない表面を一緒に形成する。
【００９８】
切断ステーション２で、ウェブ３は、第１の角速度ｗ１で切断ステーション２に向かう主回転軸１ａの周りに回転駆動される、連続ウェブ３を受け入れるそれぞれのキャリアユニット７ａ、７ｂのアンビル部材９ａまたは９ｂの表面で作動する切断部材１０によって個々のセグメント４に切断される。
【００９９】
第１の移動部材１２に関して、切断ステーション２に向かって第１の角速度ｗ１で回転駆動されるキャリアユニット７ａに接続されたキャリアユニット７ａも支持スポーク１８が接続されるドラム１７によって主軸１ａの周りに第１の速度ｗ１で回転駆動されることに留意されたい。
【０１００】
切断ステーション２に向かって第１の角速度ｗ１で回転駆動されるキャリアユニット７ｂに接続されたキャリアユニット７ｂも支持スポーク２０が接続されるドラム１９によって主軸１ａの周りに第１の速度ｗ１で回転駆動されるという意味において、同じ考察が第２の移動部材１３に当てはまる。
【０１０１】
セグメント４が連続ウェブ３から得られると、パッド８ａ、８ｂは、同じキャリアユニット７ａ、７ｂのそれぞれのアンビル部材９ａ、９ｂに対して、主回転軸１ａから離れるように移動し始める。
【０１０２】
上述のように、パッド８ａ、８ｂは、主回転軸１ａから半径方向に離れるように移動し、同時に、それ自体の軸８ｃ、８ｄの周りをそれ自体で回転し、吸収性物品６ａの供給方向に対して横断する位置に従ってセグメント４を方向付ける。
【０１０３】
上述のように、パッド８ａ、８ｂは、その回転軸８ｃ、８ｄを中心に回転する一方、主回転軸１ａから離れる。
【０１０４】
この時点で、キャリアユニット７ａ、７ｂは加速され、吸収性物品６ａの供給速度に等しい第２の角速度ｗ２でアプリケータステーション５に向かって主回転軸１ａの周りを回転するようにされる。
【０１０５】
第１の移動部材１２に関して、第２の角速度ｗ２に到達するために主回転軸１ａの周りで回転加速されるキャリアユニット７ａに接続されたキャリアユニット７ａもまた、支持スポーク１８が接続されているドラム１７によって、第２の角速度ｗ２に達するために、主軸１ａの周りで回転加速されることに留意されたい。
【０１０６】
この動作モードは、第２の移動部材１３によって駆動されるキャリアユニット７ｂにも適用される。
【０１０７】
第２の移動部材１３に関して、第２の角速度ｗ２に到達するために主回転軸１ａの周りで回転加速されるキャリアユニット７ｂに接続されたキャリアユニット７ｂもまた、支持スポーク２０が接続されているドラム１９によって、第２の角速度ｗ２に到達するために、主軸１ａの周りで回転加速されることに留意されたい。
【０１０８】
アプリケータステーション５では、キャリアユニット７ａ、７ｂは、第２の角速度ｗ２で主回転軸１ａを中心に回転駆動される。
【０１０９】
第１の移動部材１２に関して、第２の角速度ｗ２で主回転軸１ａを中心に回転駆動されるキャリアユニット７ａに接続されたキャリアユニット７ａも、支持スポーク１８が接続されているドラム１７によって第２の角速度ｗ２で主軸１ａを中心に回転駆動されることに留意されたい。
【０１１０】
この動作モードは、第２の移動部材１３によって駆動されるキャリアユニット７ｂにも適用される。
【０１１１】
第２の移動部材１３に関して、第２の角速度ｗ２で主回転軸１ａを中心に回転駆動されるキャリアユニット７ｂに接続されたキャリアユニット７ｂも、支持スポーク２０が接続されているドラム１９によって第２の角速度ｗ２で主軸１ａを中心に回転駆動されることに留意されたい。
【０１１２】
アプリケータステーション５では、それぞれのキャリアユニット７ａ、７ｂのパッド８ａ、８ｂは、吸収性物品６ａに実質的に接する位置に配置されて、吸収性物品６ａの供給方向を横切る方向に搬送されるセグメント４を解放して貼り付ける。
【０１１３】
パッド８ａ、８ｂがそれぞれのセグメント４を解放すると、それぞれのキャリアユニット７ａ、７ｂは減速してウェブ３の第１の供給速度ｖ１に戻る。
【０１１４】
第１の移動部材１２に関して、主回転軸１ａの周りの回転が減速されるキャリアユニット７ａに接続されたキャリアユニット７ａも、支持スポーク１８が接続されたドラム１７によって回転が減速されることに留意されたい。
【０１１５】
この動作モードは、第２の移動部材１３によって駆動されるキャリアユニット７ｂにも適用される。
【０１１６】
第２の移動部材１３に関して、主回転軸１ａの周りの回転が減速されるキャリアユニット７ｂに接続されたキャリアユニット７ｂも、支持スポーク２０が接続されたドラム１９によって回転が減速されることに留意されたい。
【０１１７】
この時点で、パッド８ａ、８ｂは、半径方向に主回転軸１ａに向かって移動する。
【０１１８】
パッド８ａ、８ｂが主回転軸１ａに向かって移動するとき、パッド８ａ、８ｂはそれ自身の軸８ｃ、８ｄを中心に９０°に至るまでそれ自体で回転し、それぞれの保持面をウェブ３の供給方向に対して正しい向きに戻す、例えば、ウェブ３の供給方向に平行な方向に戻す。
【０１１９】
切断ステーション２では、それぞれの移動部材１２、１３のキャリアユニット７ａ、７ｂは、第１の角速度ｗ１で主回転軸１ａを中心に回転駆動される。
【０１２０】
切断ステーション２からアプリケータステーション５への、およびその逆も同様に、装置１のキャリアユニット７ａ、７ｂがたどる経路に関して、制御ユニット２５によって駆動され且つ調整される第１および第２の駆動ユニット１４、１５は、第１および第２の移動部材１２、１３をそれぞれ駆動して、それぞれのキャリアユニット７ａ、７ｂを切断ステーション２へ第１の角速度ｗ１で、アプリケータステーション５へ第２の角速度ｗ２で主回転軸１ａを中心に回転駆動することに留意されたい。
【０１２１】
同じ移動部材１２、１３に接続されたキャリアユニット７ａ、７ｂは、制御ユニット２５の運動の法則に応じて、第１および第２の移動部材１２、１３によってそれぞれ伝達される運動に同時に追従する。
【０１２２】
最後に、第１の移動部材１２が、２つの連続するスポーク１８が１２０°の角度をなすように互いに対して配置された３つのスポーク１８を含む図示の実施形態に関して、対応するスポーク１８により支持されたキャリアユニットが切断ステーション２を通過する場合に、それに接続された他のキャリアユニット７ａのいずれもアプリケータステーション５を通過しないことに留意されたい。
【０１２３】
同じ論法がアプリケータステーション５にも当てはまる。つまり、対応するスポーク１８によって支持されたキャリアユニット７ａがアプリケータステーション５を通過する場合に、それに接続されている他のキャリアユニット７ａのいずれも切断ステーション２を通過しない。
【０１２４】
上記はまた、２つの連続したスポーク２０が１２０°の角度をなすように互いに対して配置された３つのスポーク２０を含む第２の移動部材１３にも当てはまる。すなわち、対応するスポーク２０によって支持されるキャリアユニット７ｂが切断ステーション２を通過する場合に、それに接続された他のキャリアユニット７ｂのいずれもアプリケータステーション５を通過しない。
【０１２５】
同じ論法がアプリケータステーション５にも当てはまる。つまり、対応するスポーク２０によって支持されたキャリアユニット７ｂがアプリケータステーション５を通過する場合に、それに接続されている他のキャリアユニット７ｂのいずれも切断ステーション２を通過しない。
【図１】
2020534091.tif 000003
【図２】
2020534091.tif 000004
【図３】
2020534091.tif 000005
【図４】
2020534091.tif 000006
【国際調査報告】
2020534091.tif 000007
2020534091.tif 000008